(57)【要約】【課題】光コネクタ挿抜の際に、誤って隣接する他の光コネクタアダプタのＩＤ識別情報を読み取る恐れをなくす。【解決手段】光コネクタアダプタのＩＤ識別情報を読み取る機能を備えた光コネクタ挿抜工具２１であって、アーム部２３の先端部にコネクタ保持部２４を備える。コネクタ保持部２４は、光コネクタ３１の被把持部の四方向を囲む壁部を持つ囲繞枠部３０と、この囲繞枠部内に配された光コネクタを把持する可動のコネクタ把持部品３２とを備える。コネクタ保持部２４は、その先端より奥まった位置に、各光コネクタアダプタのＩＤ識別情報を含む光を受信するＩＤ識別情報受信部４１を備え、その前に筒状窓４２が配置されている。ＩＤ識別情報受信部４１は、筒状窓４２を通過する光した受光しないので、隣接する他の光コネクタアダプタのＩＤ識別情報を読み取る恐れは少ない。【選択図】図７
2011085645.tif 000002
【特許請求の範囲】
【請求項１】
光接続ユニットの光コネクタアダプタに対する光コネクタの挿抜を行う際に、光コネクタアダプタ側のＩＤ識別情報発信部が発信する光コネクタアダプタのＩＤ識別情報を読み取る機能を備えた光コネクタ挿抜工具であって、
操作部とこの操作部から延出するアーム部とこのアーム部の先端部に設けられたコネクタ保持部とを備え、
前記コネクタ保持部は、光コネクタの被把持部の四方向を囲む壁部を持つ囲繞枠部と、この囲繞枠部内に配された光コネクタを把持することが可能な可動のコネクタ把持部品とを備え、
前記コネクタ把持部品は、前記操作部の手操作により作動して光コネクタを把持することが可能であり、
前記コネクタ保持部は、その先端より奥まった位置に、各光コネクタアダプタのＩＤ識別情報を含む光を受信するＩＤ識別情報受信部を備え、
このＩＤ識別情報受信部の前に筒状窓が配置されていることを特徴とする光コネクタ挿抜工具。
【請求項２】
前記筒状窓にレンズを配置したことを特徴とする請求項１記載の光コネクタ挿抜工具。
【請求項３】
前記コネクタ保持部の囲繞枠部は、その四方向の壁部のうちの少なくとも１つの壁部に、工具長手方向全体に亘って開口する開口を有することを特徴とする請求項１又は２記載の光コネクタ挿抜工具。
【請求項４】
前記アーム部は、操作部の手操作によりアーム長手方向にスライドするスライド部材を備え、
前記コネクタ把持部品は、光コネクタの外面にある凹所に係合可能な先端部を持つアーム部長手方向に延びる略板状部材であり、かつ、光コネクタの外面に向けて付勢されており、前記スライド部材が操作部側に後退した時に、前記付勢によりその先端部が光コネクタの外面に向けて動いて光コネクタの凹所に係合しかつ光コネクタを前記囲繞枠部の内面に押し付ける構成であることを特徴とする請求項１〜３のいずれかに記載の光コネクタ挿抜工具。
【請求項５】
前記操作部及びアーム部が金属製であり、その外面に樹脂被覆が施されていることを特徴とする請求項１〜４のいずれかに記載の光コネクタ挿抜工具。
【請求項６】
前記操作部及びアーム部が金属製であり、その金属部分がアースされていることを特徴とする請求項１〜５のいずれかに記載の光コネクタ挿抜工具。
【請求項７】
前記囲繞枠部の四方の壁部のうちの１つの壁部が前方延出部を備え、この前方延出部に、光コネクタの外面にある凹所に係合可能な突部が設けられていることを特徴とする請求項１〜６のいずれかに記載の光コネクタ挿抜工具。
【発明の詳細な説明】
【技術分野】
【０００１】
この発明は、光配線箱や光配線架などの光接続ユニットに多数設けられた光コネクタアダプタに対する光コネクタの挿抜を行う際に光コネクタアダプタのＩＤ識別情報を読み取る機能を備えた光コネクタ挿抜工具に関し、特に、多数の光コネクタアダプタが高密度に設けられている光接続ユニットにおいて使用して好適な光コネクタ挿抜工具に関する。
【背景技術】
【０００２】
光接続ユニットの光コネクタアダプタに対する光コネクタの挿抜を行う際に光コネクタアダプタのＩＤ識別情報を読み取る機能を備えた光コネクタ挿抜工具として、図１７、図１８に示した光コネクタ挿抜工具１がある（特許文献１）。
図１７において、２はＩＤ識別機能部（ＩＤ識別情報受信部）である。このＩＤ識別機能部２は工具の最先端に設けられている。３はコネクタ把持部、４はアーム部、５は操作部、６は爪位置制御部、７は爪部である。  
図１８において、８は光コネクタ、９は光コネクタ８の凹部、１０は光コネクタアダプタ、１１は光コネクタアダプタ１０の識別ＩＤである。この識別ＩＤ１１は光コネクタアダプタ１０の光コネクタ挿入口１０ａの縁部の直近に取り付けられている。１２は光コネクタ８のブーツである。
【０００３】
光コネクタ挿抜工具１を光コネクタ８に挿入して後、操作部５を操作して爪位置制御部６により爪部７を光コネクタ８の凹部９に嵌合することにより光コネクタ挿抜工具１で光コネクタ８を把持する。
光コネクタ８を把持した状態でコネクタ挿抜工具１を光コネクタアダプタ１０側に押すことにより、光コネクタ８を光コネクタアダプタ１０
に嵌合接続することができる。
更に操作部５を操作して爪位置制御部６を介して爪部７を破線で示すように光コネクタ８の凹部９から外した状態で、光コネクタ挿抜工具１を光コネクタアダプタ１０側に押すと、工具最先端にあるＩＤ識別機能部２がＡ点から光コネクタアダプタ１０側のＢ点まで移動し、光コネクタアダプタ１０のコネクタ挿入口１０ａの縁部の直近にある識別ＩＤ１１のＩＤ識別情報を読み取ることができる。
なお、この光コネクタ挿抜工具１のＩＤ識別機能部２は、読み取る対象の識別ＩＤ１１がバーコードである場合、及び、ＩＣタグである場合を想定している。
【先行技術文献】
【特許文献】
【０００４】
【特許文献１】特開２００８−１１７７１４
【発明の概要】
【発明が解決しようとする課題】
【０００５】
光接続ユニットに多数の光コネクタアダプタが高密度に設けられている場合、光コネクタ挿抜工具が、誤って隣接する他の光コネクタアダプタのＩＤ識別情報を読み取ってしまう恐れがあるので、この誤読み取りを防ぐ必要がある。
特許文献１のように、識別ＩＤ１１を光コネクタアダプタ１０の光コネクタ挿入口１０ａの縁部の直近に設けた場合で、かつ、光コネクタ挿抜工具１のＩＤ識別機能部２を識別ＩＤ１１にほぼ接触させる程度に接近させてＩＤ識別情報を読み取る構成であれば、光コネクタ挿抜工具１が僅かに斜めに傾いても、隣接する他の光コネクタアダプタのＩＤ識別情報を誤って読み取る恐れは少ないと思われる。
しかし、光コネクタアダプタ１０側に設ける識別ＩＤを、光コネクタ挿入口１０ａの縁部の直近にでなく若干離して設ける場合で、かつ、光コネクタ挿抜工具のＩＤ識別機能部を識別ＩＤから若干離してＩＤ識別情報を読み取る構成とした場合、光コネクタ挿抜工具が斜めに傾くと、隣接する他の光コネクタアダプタのＩＤ識別情報を誤って読み取る恐れが生じる。
【０００６】
ところで、光コネクタアダプタ側に設ける識別ＩＤとして例えば、各光コネクタアダプタ毎に、それぞれのＩＤ識別情報を含む光を発するＩＤ識別情報発信部を設けることが考えられる。
この場合、光コネクタアダプタ１０側のＩＤ識別情報発信部は、光コネクタアダプタ１０の光コネクタ挿入口１０ａの縁部の直近にでなく横に若干離して設けることになり、また、光コネクタ挿抜工具のＩＤ識別機能部は、前記ＩＤ識別情報発信部から若干離間させてＩＤ識別情報を読み取る構成となる。この場合、光コネクタ挿抜工具が斜めに傾くと、光の直進性から、隣接する他の光コネクタアダプタのＩＤ識別情報発信部からのＩＤ識別情報を誤って読み取る恐れがある。
また、特許文献１の光コネクタ挿抜工具１では、ＩＤ識別機能部２の位置が工具の最先端にあるため、実用上はＩＤ識別機能部２を機械的に保護する必要があり、構造が複雑になる。
また、図１７に示されたコネクタ把持部３は、光コネクタ８を単に挟むだけの機構のため、光コネクタ８を挟んでいる方向から９０°の方向には回転しやすく、把持したときの安定力が小さいという問題もある。また、光コネクタ８が大きく回転した場合には、この光コネクタ８から延出している光ファイバコードが破損することもある。
【０００７】
本発明は上記従来の欠点を解消するためになされたもので、光コネクタの挿抜の際に、誤って隣接する他の光コネクタアダプタのＩＤ識別情報を読み取る恐れのない光コネクタ挿抜工具を提供することを目的とする。
【課題を解決するための手段】
【０００８】
上記課題を解決する請求項１の発明は、光接続ユニットの光コネクタアダプタに対する光コネクタの挿抜を行う際に、光コネクタアダプタ側のＩＤ識別情報発信部が発信する光コネクタアダプタのＩＤ識別情報を読み取る機能を備えた光コネクタ挿抜工具であって、
操作部とこの操作部から延出するアーム部とこのアーム部の先端部に設けられたコネクタ保持部とを備え、
前記コネクタ保持部は、光コネクタの被把持部の四方向を囲む壁部を持つ囲繞枠部と、この囲繞枠部内に配された光コネクタを把持することが可能な可動のコネクタ把持部品とを備え、
前記コネクタ把持部品は、前記操作部の手操作により作動して光コネクタを把持することが可能であり、
前記コネクタ保持部は、その先端より奥まった位置に、各光コネクタアダプタのＩＤ識別情報を含む光を受信するＩＤ識別情報受信部を備え、
このＩＤ識別情報受信部の前に筒状窓が配置されていることを特徴とする。
【０００９】
請求項２は、請求項１の光コネクタ挿抜工具において、筒状窓にレンズを配置したことを特徴とする。
【００１０】
請求項３は、請求項１又は２の光コネクタ挿抜工具において、コネクタ保持部の囲繞枠部は、その四方向の壁部のうちの少なくとも１つの壁部に、工具長手方向全体に亘って開口する開口を有する。
【００１１】
請求項４は、請求項１〜３のいずれかの光コネクタ挿抜工具において、前記アーム部は、操作部の手操作によりアーム長手方向にスライドするスライド部材を備え、
前記コネクタ把持部品は、光コネクタの外面にある凹所に係合可能な先端部を持つアーム部長手方向に延びる略板状部材であり、かつ、光コネクタの外面に向けて付勢されており、前記スライド部材が操作部側に後退した時に、前記付勢によりその先端部が光コネクタの外面に向けて動いて光コネクタの凹所に係合しかつ光コネクタを前記囲繞枠部の内面に押し付ける構成であることを特徴とする。
【００１２】
請求項５は、請求項１〜４のいずれかの光コネクタ挿抜工具において、操作部及びアーム部が金属製であり、その外面に樹脂被覆が施されていることを特徴とする。
【００１３】
請求項６は、請求項１〜５のいずれかの光コネクタ挿抜工具において、操作部及びアーム部が金属製であり、その金属部分がアースされていることを特徴とする。
【００１４】
請求項７は、請求項１〜６のいずれかの光コネクタ挿抜工具において、囲繞枠部の四方の壁部のうちの１つの壁部が前方延出部を備え、この前方延出部に、光コネクタの外面にある凹所に係合可能な突部が設けられていることを特徴とする。
【発明の効果】
【００１５】
本発明の光コネクタ挿抜工具によれば、コネクタ保持部の先端より奥まった位置にＩＤ識別情報受信部を設け、その前に筒状窓を配置しているので、光の直進性により、対象とする光コネクタアダプタに隣接する他の光コネクタアダプタのＩＤ識別情報を読み取る恐れは少ない。
すなわち、ＩＤ識別情報受信部の前に筒状窓を配置しているため、光コネクタアダプタに挿入された光コネクタをコネクタ把持部品で把持した状態で、ＩＤ識別情報発信部がＩＤ識別情報を発信している軸と筒状窓の軸すなわちＩＤ識別情報受信部の読取方向の軸とがほぼ一致していないと、ＩＤ識別情報を読み取ることができない。このため、読み取り可能な角度範囲以上に工具が傾くと、ＩＤ識別情報を読み取ることができない。したがって、誤って隣接する他の光コネクタアダプタのＩＤ識別情報を読み取る恐れは少ない。
また、コネクタ把持ミスも発生しない。すなわち、上記のことを逆の観点で言えば、ＩＤ識別情報を読み取ったということは、光コネクタをコネクタ把持部品で把持した状態であるということであるから、ＩＤ識別情報受信部がＩＤ識別情報を読み取ったにも拘わらず、コネクタが把持されていないということは生じない。
【００１６】
また、ＩＤ識別情報受信部がコネクタ保持部の先端より奥まった位置にあるため、ＩＤ識別情報受信部を機械的に保護する必要がなく、構造が無用に複雑になることはない。
また、コネクタ保持部の囲繞枠部が光コネクタの被把持部の４方向を囲むので、光コネクタを把持した状態で光コネクタが回転することがなく、光コネクタを安定してしっかりと保持することができる。したがって、光コネクタを光コネクタアダプタに挿入する場合、及び光コネクタアダプタから抜き取る場合のいずれにおいても、取り扱い性が良好であり、作業性がよい。
【００１７】
請求項３の光コネクタ挿抜工具によれば、コネクタ保持部の囲繞枠部の四方向の壁部のうちの少なくとも１つの壁部に、工具長手方向全体に亘って開口する開口を有するので、コネクタ保持部の囲繞枠部が光コネクタを四方向から囲む構成であっても、光コネクタを横から囲繞枠部内に収容することができ、光コネクタを保持する際の作業が容易である。
【００１８】
請求項４のように、操作部を操作してスライド部材を後退させることでコネクタ把持部品により光コネクタを把持できる構成は、光コネクタの四方向を囲む囲繞枠部の構成と相俟って、光コネクタをコネクタ保持部において把持する操作を容易にする。
【００１９】
請求項５のように、操作部及びアーム部が金属製の場合に、その外面に樹脂被覆を施すると、光コネクタ挿抜工具を操作する際に、その金属部に素手が触れることでＩＤ識別情報受信部へのＩＤ識別情報にノイズがのること、を防止できる。
【００２０】
請求項６のように、操作部及びアーム部が金属製の場合に、その金属部分がアースされていると、光コネクタ挿抜工具を操作する際に、その金属部に素手が触れることでＩＤ識別情報受信部へのＩＤ識別情報にノイズがのること、を防止できる。
【図面の簡単な説明】
【００２１】
【図１】本発明の一実施例の光コネクタ挿抜工具の斜視図であり、併せて引き金部及びこれと一体であるスライド部材を示している。
【図２】図１の光コネクタ挿抜工具におけるコネクタ保持部近傍の正面図であり、併せてアーム部の断面図を示している。
【図３】図２の底面図である。
【図４】図２の背面を示した図（図２と上下を反転させている）である。
【図５】図２においてコネクタ保持部に光コネクタが保持された状態の図である。
【図６】図５において、工具のコネクタ把持部品で光コネクタが把持されていない状態を示す縦断面図である。
【図７】図５において、工具のコネクタ把持部品で光コネクタが把持された状態を示す縦断面図である。
【図８】図６の拡大したＡ−Ａ断面図である。
【図９】図６の拡大したＢ−Ｂ断面図である。
【図１０】上記光コネクタ挿抜工具を用いる対象の光接続ユニットの正面図で、光コネクタ挿抜工具及び照合手段であるパソコンを併せて示している。
【図１１】図１０の光接続ユニットの要部の構成を説明する斜視図である。
【図１２】図１１の要部の構成を説明する斜視図である。
【図１３】図１０の光接続ユニットにおけるＣＰＵボックスの斜視図である。
【図１４】図１０の光接続ユニットにおける照合手段を示すブロック図である。
【図１５】コネクタ保持部についての他の実施例を示すもので、光コネクタが保持された状態で示したコネクタ保持部近傍の一部切欠き正面図である。
【図１６】図１５におけるコネクタ保持部の斜視図である。
【図１７】従来の光コネクタ挿抜工具の正面図である。
【図１８】図１７の光コネクタ挿抜工具を動作を説明する図である。 図１５、図１６にコネクタ保持部の他の実施例を示す。このコネクタ保持部２４’の囲繞枠部３０’は、光コネクタ３１の一方の側面（図１５で上側の側面）に形成されている凹所３１ａ’に対向する壁部３０ｂ’に、前記凹所３１ａ’に係合可能な突部３０ｆ’を備えている。この突部３０ｆ’は、囲繞枠部３０’の壁部３０ｂ’の一部を構成する前方延出部３０ｅ’の一部を出っ張るように屈曲させて形成したものである。凹所３１ａ’はコード把持部３２の先端部３２ａが係合する反対側の凹所３１ａと対称的に設けられている。
【発明を実施するための形態】
【００２２】
以下、本発明を実施した光コネクタ挿抜工具について、図面を参照して説明する。
【実施例１】
【００２３】
本発明の光コネクタ挿抜工具は、例えば図１０に示すような光接続ユニット２０の光コネクタアダプタ５３に対する光コネクタの挿抜を行う際に、光コネクタアダプタ５３側のＩＤ識別情報発信部が発信する光コネクタアダプタ５３のＩＤ識別情報を読み取る機能を備えた光コネクタ挿抜工具である。実施例の光コネクタ挿抜工具を２１で示す。
図１は光コネクタ挿抜工具２１の拡大した斜視図、図２は図１の光コネクタ挿抜工具２１におけるコネクタ保持部２４の近傍の正面図、図３は図２の底面図、図４は図２の背面を示した図（但し図２と上下を反転させている）である。
また、図５は図２においてコネクタ保持部２４に光コネクタ３１が保持された状態の図、図６は図５において光コネクタ３１が後述のコネクタ把持部品３２で把持された状態を示す縦断面図、図７は図５において光コネクタ３１がコネクタ把持部品３２で把持されていない状態を示す縦断面図である。２８は光ファイバコードを示す。
【００２４】
この光コネクタ挿抜工具２１は、図１に示すように、操作部２２とこの操作部２２から延出するアーム部２３とこのアーム部２３の先端部に取り付けられたコネクタ保持部２４とを備えている。
【００２５】
アーム部２３は図２に併せて示したように角形筒状をなし、内部にスライド部材２５をスライド可能に収容している。
このスライド部材２５は、図１に併せて示したように、操作部２２内の引き金２６と一体となっており、引き金２６を引くことで操作部２２側にスライドし、引き金２６を離せば図示略のバネの力で工具先端側にスライドする。
【００２６】
前記操作部２２や引き金２６やアーム部２３などの素材は特に限定されないが、それらを金属製とした場合、樹脂被覆を施すことが好ましい。これにより、光コネクタ挿抜工具を操作する際に、その金属部に素手が触れることでＩＤ識別情報受信部へのＩＤ識別情報にノイズがのること、を防止できる。
また、前記各部を金属製とした場合に、その金属部分にアースを施してもよい。前記と同様に、ＩＤ識別情報受信部へのＩＤ識別情報にノイズがのること、を防止できる。この場合、図１０について後述するように、実施例では光コネクタ挿抜工具２１の制御線を光コネクタ挿抜工具用ＵＳＢ端子６９ｂに接続するので、この制御線にアース線を添わせることで、アースを施すことができる。
【００２７】
前記コネクタ保持部２４は、図６〜図９に示すように、光コネクタ３１の被把持部の四方向を囲む囲繞枠部３０と、この囲繞枠部３０内に配された光コネクタ３１を把持することが可能な可動のコネクタ把持部品３２とを備えている。
前記囲繞枠部３０は四方向の壁部３０ａ、３０ｂ、３０ｃ、３０ｄで光コネクタ２５の被把持部の四方向を囲むが、その１つの壁部３０ｃには、工具長手方向全体に亘って開口する開口３０ｃｋが設けられている。なお、他の１つの壁部３０ｄにも前記スライド部材２５やコネクタ把持部品３２との干渉を避けるための開口３０ｄｋを持つ。
図示例のコネクタ保持部２４は、本体枠部３３と底板部３４とからなり、それぞれネジ３５、３６でアーム部２３の先端部に固定されている。
【００２８】
前記コネクタ把持部品３２は、光コネクタ３１の外面にある凹所３１ａに係合可能なカギ形の先端部３２ａを持つアーム部長手方向に延びる略板状部材であり、かつ、バネ３７、３８により光コネクタ３１の外面（図６における下面）に向けて付勢された状態で前記スライド部材２５の下面に接触して配置されている。
このコネクタ把持部品３２は、前記スライド部材２５が操作部２２側に後退（図６で左方に移動）した時に、前記バネ３８の力で押されてその先端部３２ａが光コネクタ３１の外面に向けて動いて、図７のように光コネクタ３１の凹所３１ａに係合しかつ光コネクタ３１を囲繞枠部３０の内面に押し付ける。
図示例の光コネクタ３１はＳＣ光コネクタよりサイズの小さないわゆるＭＵ光コネクタである。３１ｂは光コネクタ３１のフェルール、３１ｃは保護ブーツを示す。
このＭＵコネクタを使用した光接続ユニットの場合、通常、光コネクタアダプタの間隔は５ｍｍ以下であり、高密度に配列されている。
【００２９】
図６、図７において、４５は光コネクタアダプタ側に設けられたＩＤ識別情報発信部であり、光コネクタアダプタ毎に設けられて、各光コネクタアダプタのＩＤ識別情報を含む光を発信する。
コネクタ保持部２４の底板部３４の先端から奥まった位置に、ＩＤ識別情報発信部４５が発信する各光コネクタアダプタのＩＤ識別情報を含む光を受信するＩＤ識別情報受信部４１を設け、かつ、その前に当該ＩＤ識別情報受信部４１の読み取り軸と軸心を一致させた筒状窓４２を配置している。ＩＤ識別情報受信部４１と筒状窓４２とは受信装置４３を構成する。
実施例ではＩＤ識別情報発信部４５が発光素子を有して、パルス光を、それぞれの光コネクタアダプタのＩＤ識別情報を構成するビットパターンにて出射するものである。ＩＤ識別情報受信部４１は、発光素子が発光した各光コネクタアダプタのＩＤ識別情報を含む光を受光するフォトダイオード等の受光素子である。なお、ＩＤ識別情報発信部がバーコードである場合は、ＩＤ識別情報受信部はバーコードの画像データを記録する撮像素子である。したがって、前記ＩＤ識別情報を含む光とは、ＩＤ識別情報を構成するビットパターンにて出射されたパルス光、あるいは、バーコード等のようにＩＤ識別情報を画像として含む表示物の表面から反射される光である。
ＩＤ識別情報受信部４１が奥まった位置にあり、かつその前に筒状窓４２が配置されていることで、工具が若干斜めに傾斜しても、隣接する他の光コネクタアダプタのＩＤ識別情報発信部４５からの光がＩＤ識別情報受信部４１に入射することを防止できる。また、照明などの外部の光が入射することも防止できる。
【００３０】
上記の光コネクタ挿抜工具２１を用いて、光接続ユニット２０における対象とする光コネクタアダプタ５３に光コネクタ３１を挿入する場合、光コネクタ挿抜工具２１のコネクタ保持部２４で光コネクタ３１を保持する。
この場合、光コネクタ３１の例えば細いブーツ３１ｃの部分を、コネクタ保持部２４の囲繞枠部３０の一つの壁部３０ｃの開口３０ｃｋを通して囲繞枠部３０内に横から入れることで、光コネクタ３１の根元部分（被把持部）を囲繞枠部３０内に収容できる。このように、コネクタ保持部２４が光コネクタ３１を四方向から囲む構成であっても、光コネクタ３１を横から囲繞枠部３０内に収容することができ、光コネクタを保持する際の作業が容易である。
【００３１】
この状態では図６に示すように、スライド部材２５が前進位置にあってコネクタ把持部品３２が押し下げられており、コネクタ把持部品３２の先端部３２ａは光コネクタ３１の凹所３１ａに係合していない。
次いで、操作部２２の引き金２６を引くと、スライド部材２５が後退し、その拘束を解除されたコネクタ把持部品３２がバネ３８の力で押されて、その先端部３２ａが図７のように光コネクタ３１の凹所３１ａに係合しかつ光コネクタ３１を囲繞枠部３０の内面に押し付けて把持する。
このように、操作部２２を操作してスライド部材２５を後退させることでコネクタ把持部品３２により光コネクタ３１を把持できる構成は、光コネクタ３１の四方向を囲む囲繞枠部３０の構成と相俟って、光コネクタ３１をコネクタ保持部２４において把持する操作を容易にしている。
【００３２】
この状態で、光コネクタ挿抜工具２１の先端側を対象とする光コネクタアダプタに向け、把持した光コネクタ３１を光コネクタアダプタに挿入する。
この時、図７のように、ＩＤ識別情報受信部４１が、光コネクタアダプタ側のＩＤ識別情報発信部４５から当該光コネクタアダプタのＩＤ識別情報を含む光を筒状窓４２を通して受光し、ＩＤ識別情報を正しく読み取ることができる。
このように、コネクタ保持部２４に設けたＩＤ識別情報受信部４１の前に筒状窓４２を配置しているので、対象とする光コネクタアダプタに隣接する他の光コネクタアダプタのＩＤ識別情報を読み取る恐れは少ない。
すなわち、ＩＤ識別情報受信部４１の前に筒状窓４２を配置しているため、光コネクタアダプタに挿入された光コネクタ３１をコネクタ把持部品３２で把持した状態で、ＩＤ識別情報発信部４５がＩＤ識別情報を発信している軸と筒状窓４２の軸すなわちＩＤ識別情報受信部４１の読取方向の軸とがほぼ一致しないと、ＩＤ識別情報を読み取ることができない。このため、読み取り可能な角度範囲以上に工具が傾くと、ＩＤ識別情報を読み取ることができず、誤って隣接する光コネクタアダプタ５３のＩＤ識別情報を読み取る恐れは少ない。
また、コネクタ把持ミスも発生しない。すなわち、上記のことを逆の観点で言えば、ＩＤ識別情報を読み取ったということは、光コネクタ３１をコネクタ把持部品３２で把持した状態であるということであるから、ＩＤ識別情報受信部４１がＩＤ識別情報を読み取ったにも拘わらず、光コネクタ３１が把持されていないということは生じない。
【００３３】
また、ＩＤ識別情報受信部４１がコネクタ保持部２４の先端より奥まった位置にあるため、ＩＤ識別情報受信部４１を機械的に保護する必要がなく、構造が無用に複雑になることはない。
また、コネクタ保持部２４の囲繞枠部３０が光コネクタ３１の被把持部の４方向を囲むので、光コネクタ３１を把持した状態で光コネクタ３１が回転することがなく、光コネクタ３１を安定してしっかりと保持することができる。したがって、取り扱い性が良好であり、作業性がよい。
上述の説明では、光コネクタ挿抜工具２１で光コネクタ３１を光コネクタアダプタ５３に挿入する作業について説明したが、光コネクタ３１を光コネクタアダプタ５３から抜き取る場合についても、同様な効果が得られる。
なお、光コネクタアダプタ５３から光コネクタ３１を抜き取る際には、光コネクタ挿抜工具２１のコネクタ保持部２４を保護ブーツ３１ｃの後方位置から前進させて、囲繞枠部３０の内面を保護ブーツ３１ｃに当て、押し込むことで、他の光コネクタや他の光ファイバコードに影響を与えることなく、目的の光コネクタに間違いなく挿入することができる。
【００３４】
図１０〜図１４を参照して、光接続ユニット２０について説明する。
光接続ユニット２０は、フレーム５１内に、上下に多段に設けられた複数の成端部５２と、配線管理システム６０とを備えている。図１０および図１１に示すように、成端部５２は、光コネクタアダプタ５３が複数配列されて構成された複数のアダプタ配列部５４と、その上に設けられた接続パネル部５５とを備えている。
【００３５】
配線管理システム６０は、図１１に示すように、複数のＩＤ識別情報発信部４５を備えた取付体６２と、光コネクタ３１を保持して光コネクタアダプタ５３に対して挿抜可能な前記光コネクタ挿抜エ具２１と、光コネクタ挿抜エ具２１により光コネクタ３１を挿抜される光コネクタアダプタ５３の照合を行う照合手段（パソコン）６３とから構成される。なお、挿抜とは、挿入および抜出をいう。
なお、実施例のＩＤ識別情報発信部４５は、光コネクタアダプタ５３のＩＤ識別情報を載せた光を発光するが、その光は同時に、その発光で作業者が当該光コネクタアダプタ５３を視認できるような光としている。
【００３６】
図１１および図１２に示すように、取付体６２は、複数のＩＤ識別情報発信部４５が設けられた長板状の本体部６４と、本体部６４の一端から本体部６４に対して直角に延びる第１延出部６５と、第１延出部６５の延出端から第１延出部６５に対して直角に延びる第２延出部６６とを備えており、接続パネル部５５に着脱自在に取り付け可能とされている。
本体部６４は、取付体６２を接続パネル部５５に取り付けた状態でアダプタ配列部５４に沿って延在するよう|こ形成され、ＩＤ識別情報発信部４５は、本体部６４の側縁部６４ａに、その長さ方向に沿って間隔をおいて形成されている。ＩＤ識別情報発信部４５は、発光ダイオード（ＬＥＤ）、レーザダイオード（ＬＤ）などの、可視光を発する発光素子からなり、取付体６２を接続パネル部５５に取り付けた状態で各光コネクタアダプタ５３に対応する位置、すなわち各光コネクタアダプタ５３の側方に位置している。
【００３７】
第２延出部６６には、接続パネル５５に設けられた接続端子６７に接続可能な接続端子６８が設けられている。
接続端子６８はＩＤ識別情報発信部４５に電気的に接続されており、接続端子６８を接続端子６７に接続すると、照合手段６からＣＰＵボックス６９を経由し接続パネル部５５を経た信号に基づいて、光コネクタアダプタ５３のＩＤ識別情報を含む光をＩＤ識別情報発信部４５が発することができる。
前記ＣＰＵボックス６９は、図１３に示すように、接続パネル５５からの制御線を接続する接続パネル用コネクタ６９ａ、光コネクタ挿抜工具２１の制御線を接続する光コネクタ挿抜工具用ＵＳＢ端子６９ｂ、ネットワークのデータベースサーバに接続されるＬＡＮケーブル接続端子６９ｃ、及びＤＣ１２Ｖ電源用端子６９ｄを備えている。
【００３８】
取付体６２は、光接続ユニット２０に着脱自在であるため、不要なときは取付体６２を取り外しでき、接続作業等に支障が生じることがない。
【００３９】
光コネクタ挿抜工具２１側のＩＤ識別情報受信部４１は、筒状窓４２を通して光を受けることにより受光信号を照合手段６３に送ることができる。
なお、図１０に示した実施例では光コネクタ挿抜工具２１を有線（ＣＰＵボックス６９を介した有線）で照合手段（パソコン）６３に接続しているが、ワイヤレスで照合手段６３に接続することもできる。これにより作業性がさらに改善される。
ＩＤ識別情報受信部４１は、前述の通り、光コネクタ３１を光コネクタアダプタ４３に挿入した状態でＩＤ識別情報発信部４５の光を筒状窓４２を通して受けることができるような位置にある。
【００４０】
前記照合手段６３は、図１４に示すように、各光コネクタアダプタ５３のＩＤ識別情報を含むデータベース７１が格納された記憶部７２と、前記受光信号がＣＰＵボックス６９を経由して入力される制御部７３と、前記受光信号に基づいて得られたＩＤ識別情報をデータベース７１内のＩＤ識別情報と照合可能となるよう表示する表示部７４と、記憶部７２に情報を入力するための入力部７５とを有する。
【００４１】
例えば回線増設のために、光コネクタ３１を特定の光コネクタアダプタ５３に接続する場合、照合手段６３が、接続対象の光コネクタアダプタ５３のＩＤ識別情報を含む信号を、ＣＰＵボックス６９、接続パネル５５、接続端子６７，６８を経て対象光コネクタアダプタ５３に対応するＩＤ識別情報発信部４５に送り、ＩＤ識別情報発信部４５は発光する。作業者はその発光で接続対象の光コネクタアダプタ５３を視認できる。
光コネクタ挿抜工具２１で前述のようにして光コネクタ３１を当該接続対象の光コネクタアダプタ５３に挿入すると、その光コネクタアダプタ５３に対応するＩＤ識別情報発信部４５からの光が筒状窓４２を通してＩＤ識別情報受信部４１に入射する。挿入した光コネクタアダプタ５３のＩＤ識別情報を載せた光を受光したＩＤ識別情報受信部４１は、受光信号をＣＰＵボックス６９を経由して照合手段６３に送る。
照合手段６３では、この受光信号に基づいて得られたＩＤ識別情報を表示部７４に表示するとともに、データベース７１内の対象光コネクタアダプタのＩＤ識別情報を表示部７４に表示することができる。
このため、これらを照合することによって、光コネクタ３１が接続された光コネクタアダプタ５３が対象光コネクタアダプタ５３であることを容易に確認できる。
なお、照合手段６３には、光コネクタ３１が接続された光コネクタアダプタ５３が対象光コネクタアダプタ５３であることが確認できたときに、そのことを作業者に光や音声で報知する報知手段（図示略）を設けてもよい。
【００４２】
また、特定の光コネクタアダプタ５３から光コネクタ３１を抜出する際には、照合手段６３によって、抜出の対象となる光コネクタアダプタ５３のＩＤ識別情報を含む信号をその光コネクタアダプタ５３に対応する位置のＩＤ識別情報発信部４５に送り、このＩＤ識別情報発信部４５を発光させ、光コネクタ挿抜エ具２１によって、このＩＤ識別情報発信部４５に対応する位置の光コネクタアダプタ５３から光コネクタ２１を抜出する。
この際、上記ＩＤ識別情報発信部４５からの光がＩＤ識別情報受信部４１により受光され、受光信号が照合手段６３に送られ、照合手段６３における照合作業によって、光コネクタ３１が抜出される光コネクタアダプタ５３が対象光コネクタアダプタ５３であることを容易に確認できる。
【実施例２】
【００４３】
実施例では光コネクタ挿抜工具が保持対象とする光コネクタとして、いわゆるＭＵコネクタを想定したが、例えばＳＣコネクタその他の単心光コネクタを対象とできる。
なお、本発明において、光コネクタとはいわゆる雄型光コネクタを指し、光コネクタアダプタとは、雄型光コネクタが接続されるいわゆる雌型光コネクタを指す。
【実施例３】
【００４４】
図１５、図１６にコネクタ保持部の他の実施例を示す。このコネクタ保持部２４’の囲繞枠部３０’は、光コネクタ３１の一方の側面（図１５で上側の側面）に形成されている凹所３１ａ’に対向する壁部３０ｂ’に、前記凹所３１ａ’に係合可能な突部３０ｆ’を備えている。この突部３０ｆ’は、囲繞枠部３０’の壁部３０ｂ’の一部を構成する前方延出部３０ｅ’の一部を出っ張るように屈曲させて形成したものである。凹所３１ａ’はコード把持部３２の先端部３２ａが係合する反対側の凹所３１ａと対称的に設けられている。
光コネクタアダプタ５３に嵌合している光コネクタ３１を抜き取る場合、光コネクタ挿抜工具２１の先端部を光コネクタ３１に向けて押し込めば、囲繞枠部３０’の前記突部３０ｆ’が光コネクタ３１の凹所３１ａ’に嵌り込んだ時にカチッと音がするので、その音により、光コネクタ３１が正しくコネクタ保持部２４’に嵌合したことを確認できる。
光コネクタ３１を光コネクタアダプタ５３に挿入する際に、予め光コネクタ３１を光コネクタ挿抜工具２１のコネクタ保持部２４’に嵌合させる場合でも同様に、正しく嵌合したことの確認ができる。
【符号の説明】
【００４５】
２０  光接続ユニット
２１  光コネクタ挿抜工具
２２  操作部
２３  アーム部
２４、２４’  コネクタ保持部
２５  スライド部材
２６  引き金
３０、３０’  囲繞枠部
３０ａ、３０ｂ、３０ｃ、３０ｄ  壁部
３０ｃｋ  開口
３０ｂ’  壁部
３０ｅ’  前方延出部
３０ｆ’  突部
３１  光コネクタ
３１ａ、３１ａ’  凹所
３１ｂ  フェルール
３１ｃ  保護ブーツ
３２  コネクタ把持部品
３２ａ  先端部
３３  本体枠部
３４  底板部
３５、３６  ねじ
３７、３８  ばね
４１  ＩＤ識別情報受信部
４２  筒状窓
４５  ＩＤ識別情報発信部
５２  成端部
５３  光コネクタアダプタ
５４  アダプタ配列部
５５  接続パネル部
６０  配線管理システム
６２  取付体
６３  照合手段
６７、６８  接続端子
６９  ＣＰＵボックス
【図１】
2011085645.tif 000003
【図２】
2011085645.tif 000004
【図３】
2011085645.tif 000005
【図４】
2011085645.tif 000006
【図５】
2011085645.tif 000007
【図６】
2011085645.tif 000008
【図７】
2011085645.tif 000009
【図８】
2011085645.tif 000010
【図９】
2011085645.tif 000011
【図１０】
2011085645.tif 000012
【図１１】
2011085645.tif 000013
【図１２】
2011085645.tif 000014
【図１３】
2011085645.tif 000015
【図１４】
2011085645.tif 000016
【図１５】
2011085645.tif 000017
【図１６】
2011085645.tif 000018
【図１７】
2011085645.tif 000019
【図１８】
2011085645.tif 000020